(57)【要約】【課題】簡易な構造によって、装着後に残る跡や、化粧の剥がれを低減しつつ、剥がれた部分を目立たせないようにする手段を提供する。【解決手段】  鼻に当接する眼鏡のパットにおいて、上記鼻に対向する基準面２２と、上記基準面から突設され上記鼻に接触する一つ以上の接触凸部２４とを有し、上記接触凸部は、基端から先端までの長さが、上記鼻の皮膚に対する沈み込み可能長さ以上に設定され、上記接触凸部の上記鼻の皮膚に接触する先端部の幅が、上記鼻に接触した跡が視認され得る条件に基づいて設定されることを特徴とする。【選択図】図２
2019101331.tif 000002
【特許請求の範囲】
【請求項１】
鼻に当接する眼鏡のパットにおいて、
上記鼻に対向する基準面と、
上記基準面から突設され上記鼻に接触する複数の接触凸部とを有し、
上記接触凸部は、基端から先端までの長さが、上記鼻の皮膚に対する沈み込み可能長さ以上に設定され、
上記接触凸部の上記鼻の皮膚に接触する先端部の大きさが、上記鼻に接触した跡が視認され得る条件から設定されることを特徴とするパット。
【請求項２】
鼻に当接する眼鏡のパットにおいて、
上記鼻に対向する基準面と、
上記基準面から突設され上記鼻に接触する複数の接触凸部とを有し、
上記接触凸部同士の先端間の距離は、上記鼻の皮膚に対する沈み込み可能長さと上記鼻の皮膚の伸び率とにより設定され得ることを特徴とするパット。
【請求項３】
前記接触凸部は、端面が曲面形状であることを特徴とする請求項１又は２に記載のパット。
【請求項４】
前記接触凸部は、断面形状が基端から先端にかけて径の大きさが異なる形状であることを特徴とする請求項１乃至３の何れかに記載のパット。
【請求項５】
前記接触凸部は、前記基準面に形成される凸状の基部と、
上記基部の外周面から突出する一つ以上の突出部とを有することを特徴とする請求項１乃至４の何れかに記載のパット。
【請求項６】
前記基部及び前記突出部は、端面が曲面形状であることを特徴とする請求項５に記載のパット。
【請求項７】
前記基部は、断面形状が基端から先端にかけて径の大きさが異なる形状であり、
前記突出部は、断面形状が基端から先端にかけて径の大きさが異なる形状であることを特徴とする請求項５又は６に記載のパット。
【請求項８】
前記接触凸部の前記鼻の皮膚に接触する先端部の大きさは、前記沈み込み可能長さに相当する前記先端からの長さ位置における投影面積に相当することを特徴とする請求項２に記載のパット。
【請求項９】
請求項１乃至８の何れかに記載のパットを具えることを特徴とする眼鏡。
【発明の詳細な説明】
【技術分野】
【０００１】
本発明は、鼻に当接して眼鏡の位置を保持するパット及びこれを具えた眼鏡に関する。
【背景技術】
【０００２】
従来、眼鏡はフロント部とツルを有し、フロント部にはレンズが取付けられている。レンズを備えたフロント部は顔の正面に支持され、ヨロイから後方へ延びるツルは耳に掛けられる。フロント部を顔の正面に支持する為に、該フロント部の中央にはパットが取付けられ、このパットが鼻の両脇に当って該フロント部を所定の位置(高さ)に保持することができる。また眼鏡に使用されるパットとして、装着後に残る跡や痛みを緩和するためにエアーを充填したパットがある（例えば、特許文献１参照）。
【先行技術文献】
【特許文献】
【０００３】
【特許文献１】特開２００８−１４５９２４号公報
【発明の概要】
【発明が解決しようとする課題】
【０００４】
しかしながら、特許文献１に記載のパットであっても、肌と接触しているため、長時間接触していれば、眼鏡を装着した跡は残るので、跡を残さないようにすることは出来ない。またパットは鼻に接触するだけでファンデーション等の化粧が移って鼻の表皮部分に施した化粧を剥がす原因になっており、特許文献１に記載のパットにおいては、クッション性を有して鼻への接触面積が広がるように変形するので鼻の化粧を剥がす部分が拡大して鼻の化粧の剥がれた箇所が目立ってしまう。このように特許文献１に記載のパットであっても、眼鏡装着後の跡や化粧の剥がれが原因となる使用者の眼鏡の装着に対する不満を解消することができないという問題がある。
【０００５】
本発明は、上記問題点に鑑みて本発明者の鋭意研究により成されたものであり、簡易な構造によって、装着後に残る跡や化粧剥がれを防止乃至低減させると共に、化粧剥がれが生じて化粧剥がれ部分を目立たたせないようにする手段を提供することを目的とする。
【課題を解決するための手段】
【０００６】
本発明のパットは、鼻に当接する眼鏡のパットにおいて、上記鼻に対向する基準面と、上記基準面から突設され上記鼻に接触する複数の接触凸部とを有し、上記接触凸部は、基端から先端までの長さが、上記鼻の皮膚に対する沈み込み可能長さ以上に設定され、上記接触凸部の上記鼻の皮膚に接触する先端部の大きさが、上記鼻に接触した跡が視認され得る条件から設定される。
【０００７】
また本発明のパットは、鼻に当接する眼鏡のパットにおいて、上記鼻に対向する基準面と、上記基準面から突設され上記鼻に接触する複数の接触凸部とを有し、上記接触凸部同士の先端間の距離は、上記鼻の皮膚に対する沈み込み可能長さと上記鼻の皮膚の伸び率とにより設定され得る。
【０００８】
また本発明のパットは、前記接触凸部の端面が曲面形状である。
【０００９】
また本発明のパットは、前記接触凸部の断面形状が基端から先端にかけて径の大きさが異なる形状である。
【００１０】
また本発明のパットは、前記接触凸部が、前記基準面に形成される凸状の基部と、上記基部の外周面から突出する一つ以上の突出部とを有する。
【００１１】
また本発明のパットは、前記基部及び前記突出部の端面が曲面形状である。
【００１２】
また本発明のパットは、前記基部の断面形状が基端から先端にかけて径の大きさが異なる形状であり、前記突出部の断面形状が基端から先端にかけて径の大きさが異なる形状である。
【００１３】
また本発明のパットは、前記接触凸部の前記鼻の皮膚に接触する先端部の大きさが、前記沈み込み可能長さに相当する前記先端からの長さ位置における投影面積に相当することを特徴とする。
【００１４】
また、本発明の眼鏡は、上記記載のパットを具える。
【発明の効果】
【００１５】
本発明によれば、簡易な構造によって、装着後に残る跡や化粧剥がれを防止乃至低減すると共に、化粧剥がれが生じた場合であっても剥がれた部分を目立たないようにすることができる。
【図面の簡単な説明】
【００１６】
【図１】本実施形態に係る眼鏡を示す図である。
【図２】本実施形態に係るパットを示す図である。
【図３】鼻の皮膚と接触凸部との接触を示す模式図である。
【図４】径の大きい半球面により成る接触凸部を示す図である。
【図５】径の小さい半球面により成る接触凸部を示す図である。
【図６】接触凸部を密集させて配置したパットを示す平面図である。
【図７】複数の接触凸部によって形成される凹みを示す図である。
【図８】接触凸部の他の形状を示す図である。
【図９】接触凸部の他の形状を示す図である。
【図１０】（ａ）は色相環多様体を示す図、（ｂ）は色相環多様体を黒色の極点側から視た平面図である。
【図１１】（ａ）は所定の間隔を存して配置された接触凸部が鼻に接触した状態を示す図、（ｂ）は伸びて湾曲した皮膚を線形に仮定したときの沈み込み深さを示す図である。
【発明を実施するための形態】
【００１７】
以下に本発明の鼻当てパットを具えた眼鏡の実施形態を、図面を参照して説明する。図１は本実施形態に係る眼鏡１を示す図である。眼鏡１は、フロント部２とツル４から成り、フロント部２は、両リム３ａ、３ｂが連結部材６にて連結され、リム３ａ、３ｂの外側にはヨロイ８ａ、８ｂが形成される。ツル４はヨロイ８ａ、８ｂに蝶番１０を介して折畳み可能に取付けられている。またリム３ａ、３ｂには、レンズ１２、１２が保持され、リム３ａ、３ｂの内側であって連結部材６の近傍には鼻の両脇に位置するようにパット２０が取付けられている。
【００１８】
なお、ここでの眼鏡１は、視力調整に用いられる器具に限定されるものではなく、有害光線や異物から目を保護する所謂サングラスや保護ゴーグル等の器具、ディスプレイ、立体視のためのレンズ等を搭載したヘッドマウントディスプレイ、ＶＲゴーグル等の器具も含むものである。
【００１９】
次に図２を参照してパット２０について説明する。パット２０は、リム３ａ、３ｂと一体に形成、或いはリム３ａ、３ｂに交換可能に取付けられるように構成してもよい。またパット２０は、特に限定されないが、樹脂材料、ガラス材料、セラミックス材料、金属材料、ゴム材料、木材等で構成され得、鼻に対向する基準面２２と、基準面２２から突設する複数の接触凸部２４を有する。また、パット２０を複合材料で構成してもよい。即ち、基準面２２と接触凸部２４とが異種材料であって、特に限定されるものではないが、基準面２２を軟質材料、接触凸部２４を基準面２２よりも硬質を有する材料としてもよい。また接触凸部２４は、基端部を軟質材料とし、先端部を基端部よりも硬質を有する材料とした複合材料であってもよい。
【００２０】
また図２（ｂ）に示すパット２０における基準面２２の裏面側には、不図示の取付けアームを介してリム３ａ、３ｂに結合する結合部２６が形成される。基準面２２は、湾曲面として形成したが、これに限定するものではなく、平面形状、波面形状、凸状の曲面形状、凹状の曲面形状等であってもよい。
【００２１】
接触凸部２４は、略半球面形状を有するが、特に限定されるものではない。勿論、鼻の表皮への刺激を和らげるために、接触凸部の先端部が曲面形状を成すように構成することも好ましい。また接触凸部２４は、図２（ａ）に示す、基準面２２の全面に亘って配され、且つ接触凸部２４間に所定の間隔（例えば、接触凸部２４の半径に相当する間隔）を存するように配される。
【００２２】
接触凸部２４は、基準面２２を鼻の表皮から確実に離間させる機能を有する。従って接触凸部２４の基端から先端までの長さ（基準面２２から突出する長さ）を、接触凸部２４が鼻の皮膚に食い込んだ際の最大深さよりも大きく設定する。即ち、接触凸部２４は、基端から先端までの長さが鼻の皮膚に対する沈み込み可能な最大長さ（沈み込み可能長さ）よりも長く形成される。
【００２３】
ここで皮膚は、表皮、真皮、皮下組織の三層構造を有している。表皮は皮膚の最も表面側にあり、角質層を含めて殆どが表皮角化細胞によって構成される。表皮の厚みは、平均で０．１〜０．３ｍｍで、身体の部位によっては０．０４〜１．５ｍｍ程で個人差があり、目の周りは薄く、手のひらや足の裏等は厚い。真皮は、主にコラーゲンやエラスチン、ヒアルロン酸等が多く存在する層であり、厚みは平均で１〜３ｍｍである。皮下組織は皮下脂肪がある層であり弾力性をもたらし人体への刺激を緩和する機能等を有する。
【００２４】
一般的に顔の皮膚（表皮＋真皮）の厚みは、１．５ｍｍ〜２．０ｍｍである。さらに目元の皮膚の厚さは、頬の約半分以下程度と薄く、平均０．６ｍｍである。眼鏡１を装着した時に鼻に対する沈み込み可能長さは、使用者の鼻の皮膚の厚さ、眼鏡１の重さ、パット２０の鼻への当たり方、パット２０の鼻への接触面積、眼鏡１の装着時間等に応じて決定されるものであるが、鼻の皮膚の厚さを考慮すれば、０．５ｍｍから１．０ｍｍの範囲に含まれると考えられる。そのため接触凸部２４は、基準面２２と鼻とを確実に非接触の状態にするため、基端から先端までの長さを１．０ｍｍ超に設定することが好ましい。
【００２５】
使用者が眼鏡１を装着したとき、パット２０は、各接触凸部２４の先端部が使用者の鼻に当接し、且つ基準面２２が鼻から離間した状態となる。従ってパット２０の鼻に接触する接触面積は、基準面２２が一面で接触する場合と比較して大幅に縮減される。また化粧が剥がれる部分は、所定の範囲内に散在する。即ち鼻の両脇において、基準面２２の範囲に相当する範囲の内、各接触凸部２４が接触する部分で化粧が剥がれる。従って、鼻の化粧が剥がれる部分の総面積が縮減され、且つ化粧が剥がれた部分を散在させて化粧の剥がれを目立ちにくくすることができる。
【００２６】
次に接触凸部２４が鼻に当接している状態について説明する。図３は鼻の皮膚Ｓと接触凸部２４との接触を示す模式図である。図３（ａ）に示すように皮膚Ｓは、接触凸部２４が押圧した部分が若干伸びて凹みが形成される。皮膚Ｓの凹みは、中央部が接触凸部２４の先端部に沿って湾曲し、該中央部から周端部にかけて徐々に接触凸部２４から離れ、接触凸部２４との間隙が拡がる。
【００２７】
皮膚Ｓは、パット２０が皮膚Ｓから退避したとき、伸びていた部分が元に戻ることで凹んでいた状態から元の状態（例えば図３（ｂ）に示す略平らな状態）に戻る。このことから、接触凸部２４により鼻から剥がれる化粧の面積は、接触凸部２４の先端部の皮膚Ｓに接触する位置における投影面積とほぼ等しい。即ち図３（ａ）において、接触凸部２４の先端が点線で示す位置まで皮膚Ｓに接触していた場合、皮膚Ｓ側の接触面は、接触凸部２４の点線で示す位置の先端部に沿った湾曲面である。これに対して図３（ｂ）に示すパット２０が皮膚Ｓから退避したとき、皮膚Ｓ側の接触面が収縮する。このことから化粧が剥がれた部分の面積は、接触凸部２４の皮膚Ｓに接触している接触面積よりも小さく、接触凸部２４の皮膚Ｓに接触していた位置における投影面積とほぼ等しいといえる。
【００２８】
従って、各接触凸部２４が鼻に対して略点接触して、複数の接触凸部２４が鼻に接触しても鼻の化粧が剥がれる部分は、細かく点在するので化粧の剥がれを目立たなくすることができる。また本実施形態に係るパット２０によれば、鼻に対する接触面積を縮減できるので、パット２０全体に亘る広い面積で装着の跡がつくのを防止し、装着の跡を小さく目立ちにくくすることができる。
【００２９】
なお、接触凸部２４の半球面の大きさは、特に限定するものではなく、例えば図２に示す半球面形状よりも直径が大きい半球面により成る接触凸部２４（図４参照）を適用した場合には、パット２０の一面において配置可能な接触凸部２４の数が減少し、鼻に点接触する箇所を減少させ、結果、パット２０の鼻に接触する接触面積は、基準面２２が一面で接触する場合と比較して大幅に縮減する。
【００３０】
一方で、図２に示す半球面形状よりも直径が小さい半球面により成る接触凸部２４（図５参照）を適用した場合には、基準面２２が鼻に接触する虞が生じる。即ち、接触凸部２４の基端から先端までの長さが鼻の皮膚に対する沈み込み可能長さ未満となって基準面２２と鼻とが離間せず、基準面２２及び接触凸部２４の略全面が鼻に接触する。従って、接触凸部２４を例えば直径が１ｍｍ未満の半球面形状の場合は適切な効果を得ることができない。
【００３１】
なお、上述した実施形態においては、接触凸部２４同士が間隔を存するように配されているが、これに限定するものではなく、例えば図６に示すように複数の接触凸部２４を密集させて配置してもよい。接触凸部２４を密集させた場合、図７に示すように複数の接触凸部２４ａ、２４ｂによって皮膚Ｓの凹みを広く形成できる。
【００３２】
この場合皮膚Ｓの凹み内には、内周の端部に沿って位置する接触凸部２４ａと、接触凸部２４ａよりも凹みの中央部側に位置する接触凸部２４ｂとが配される。さらに鼻の皮膚Ｓに接触する接触面積を、接触凸部２４ａと接触凸部２４ｂとで異ならせることができる。即ち接触凸部２４ａは、先端部が皮膚Ｓの凹みの内周の端部と底部とに接触するのに対し、接触凸部２４ｂは、先端が皮膚Ｓの凹みの底部のみに接触する。従って接触凸部２４を密集させることで接触凸部２４一つ当たりの皮膚への接触面積の割合を少なくすることができる。
【００３３】
また、接触凸部２４の形状は、半球面形状に限定されるものではなく、断面積が先端から基端にかけて漸増する略ラッパ形状や略円錐形状、中途部分が膨らんだ略樽形状等、断面形状が基端から先端にかけて径の大きさが異なる形状であってもよい。勿論、断面形状が基端から先端に向かって同等の柱状形状を成しまたその先端を丸く形成するなどしてもよい。例えば、図８に示す略円錐形状とした場合、先端形状の径を小さくすることができ、鼻に接触する面積をより小さくすることができる。
【００３４】
また、接触凸部２４は、基準面に形成される凸状の基部３０と、基部３０の外周面から突出する複数の突出部３２とを有して成るものであってもよい。例えば図９に示すように、基部３０は略半球面形状であって、突出部３２は基部３０と略（自己）相似形状の略半球面形状であってもよい。即ち基準面２２上において、複数の略半球面形状の基部３０を形成し、各基部３０の外周面には、略半球面形状の突出部３２を複数形成する。このように形成した場合、突出部３２の先端部が鼻に接触することで、基部３０が鼻に接触するのを抑え、結果鼻への接触面積をより一層減少させ、更にパット２０による化粧の剥がれを低減しつつ、剥がれた部分を目立たせないようにすることができる。
【００３５】
なお、基部３０は、略半球面形状に限定されるものではなく、略ラッパ形状や略円錐形状、中途部分が膨らんだ略樽形状等、断面形状が基端から先端にかけて径の大きさが異なる形状であってもよく、或いは、断面形状が基端から先端に向かって同等の柱状形状を成しまたその先端を丸く形成するなどしてもよい。また突出部３２は、基部３０の（自己）相似形状に限定されるものではなく、他の形状、例えば略ラッパ形状や略円錐形状、中途部分が膨らんだ略樽形状等、断面形状が基端から先端にかけて径の大きさが異なる形状等、如何なる形状であってもよい。
【００３６】
次に、上述した種々の形態における各接触凸部２４の先端部の大きさの設定について説明する。接触凸部２４は、鼻から化粧が剥がれている状態を認識できない程度に、点接触し得るように設定すればよい。即ち接触凸部２４が接触して化粧が剥がれる面積の大きさは、所定距離から目視で識別可能な最小の大きさに基づいて設定する。目視で識別可能な最小の大きさを決定する一つの指標として、ランドルト環における切れ目の大きさ、視角と視力との関係から、以下の式が成立する。
【数１】
2019101331.tif 000003
ｄδ：二色間距離率δの視認可能最小寸法［ｍｍ］
Ｌ：目視距離［ｍ］
ｆ：視力
κ：色覚に係る係数（以下、色覚係数と呼称する。）であり、例えば、色弱や色盲等の色覚異常の程度により決まり、少なくとも０以上１以下の値が設定される。
δ：二色間距離率
【００３７】
なお二色間距離率は、白黒間の距離率を１とした場合の或る二色間の距離率（割合）を示す。この二色間距離率の概念について図１０を参照して説明する。図１０（ａ）は色相環を色の濃淡（明度、及び彩度）に関しても網羅的に捉え得るように、三次元曲面のトーラス管を略球形の多様体状に変形して仮想したものであり、以下、色相環多様体というものとする。この色相環多様体上において緯度９０度は、黒色（上側の極点）又は白色（下側の極点）を示す。また緯線に沿って色相環に相当する各色が配色される。例えば、図１０（ａ）に示す緯度０度上の一点を彩度が最も高く、中間の明度（中明度という。）の色Ａ（赤色）とした場合に、該一点から同緯線上に沿って彩度及び明度を変化させずに類似色を配色して行き、１８０度位相をずらした点は、色Ａの反対色Ａ-1（青緑色）となるように設定することができる。また緯度に対応させて明度と彩度とを設定する。
【００３８】
図１０（ｂ）は、色相環多様体を黒色の極点側から視た平面図である。隣接する二経線間には同色系で彩度及び明度を異ならせた色が配色される。例えば、図１０（ｂ）に示す向きにおいて、色相環多様体の表面の緯度０度における所定の二経線間には、彩度が最も高く、中明度の色が配色され、黒色の極点側に同色系の彩度及び明度が低い色が配色される。一方、色相環多様体の表面においては、白の極点側に彩度が低く、明度が高い色が配色される。このように緯度に対応させて同色で彩度と明度とを異ならせた色が配色される。
【００３９】
また、この色相環多様体における内部の中心軸部（半径を極限までゼロに近づけた縦穴）は、二つの極点（黒色、白色）の中間に位置することから、黒色から白色に至る灰色のグラデーションとして設定する。
【００４０】
このような色相環多様体において、例えば、これを直径１の球体に設定する。そして任意の二色間の距離は、最短距離をとるものとし色相環多様体内部を貫通する線分で想定するようにすれば、二つの極点の場合は、極点同士を結ぶ中心軸に沿う線分となるので、この距離率を１に設定する。従って、他の任意の二色間距離率を算出する場合、何れの二色間距離率であっても１以内の値が設定される。
【００４１】
ところで、一般に、二人の個人間には、近づかれると不快に感じる物理距離、即ち、パーソナルスペース（パーソナルエリアとも称す。）が存在することが知られており、それは、かなり親しい間柄の者同士に見られる密接距離（０〜４５ｃｍ）、友人間等に見られる固体距離（４５〜１２０ｃｍ）、知人間等に見られる社会距離（１．２〜３．５ｍ）、他人間に見られる公共距離（３．５〜７ｍ以上）などに分類される。そこで、固体距離と社会距離の中間値である１．２ｍを基準として、数式（１）における視認距離Ｌを設定するものとする。
【００４２】
以上のことを踏まえ、補色間よりもかなり色が近い二色の識別性を考慮する。例えば、色覚係数κを１、目視距離を１．２［ｍ］、視力ｆを０．４８（２０〜５９歳までの日本人の略平均的な視力。）、二色間距離率δを０．３として、数式（１）を用いて二色間距離率δの視認可能最小寸法ｄδを算出すると、これは約２．４ｍｍとなる。即ち、色覚係数κが１であっても二色間距離率δが０．３の場合には、１．２ｍ離れたところからでは２．４ｍｍ未満の大きさであれば、当該二色で構成された表示を視認、識別できないといえることを意味する。
【００４３】
また、係数κを１、目視距離を１．２［ｍ］、視力を０．４８、二色間距離率δを１．０（白色及び黒色間）として二色間最小寸法を算出すると、約０．７３ｍｍとなる。即ち０．７３ｍｍ未満の大きさであれば、殆ど視認、識別できないということを意味する。
【００４４】
また、数式（１）に明示したように、二色間距離率δの視認可能最小寸法ｄδは、視力ｆと二色間距離率δに反比例し、目視距離Ｌに比例する。即ち、視力ｆが高い程、小さい寸法でも視認可能となる。また二色が反対色又は白色・黒色の関係に近い程、小さい寸法でも視認可能となる。一方、目視距離Ｌが離れる程、小さい寸法が視認しづらくなる。
【００４５】
従って、鼻の化粧が剥がれていることが視認され得る条件（目視距離Ｌ、化粧の色と鼻の地肌の色との二色間距離率δ、視力ｆ）、即ち二色間距離率δの視認可能最小寸法ｄδを定め、これに基づいて、好ましくは、この視認可能最小寸法ｄδを下回る大きさとして、接触凸部２４の先端部の大きさ、若しくは、接触凸部の先端にファンデーションが付着し得る最大の大きさを設定すればよい。つまり、上記試算から接触凸部の先端部の大きさを、最大幅を２．４ｍｍ未満に設定すれば、平均的な視力の日本人の社会距離からの視認、識別が出来ないことになり、パットによるファンデーションの剥がれや跡を視認出来ないことになる。
【００４６】
なお、上述の実施形態においては、接触凸部２４の突出長さを沈み込み可能長さよりも長くすることで、基準面２２と鼻とを離間させているが、接触凸部２４同士の先端部間距離を設定することで、基準面２２と鼻とを離間させてもよい。
【００４７】
図１１は互いに所定の間隔を存して配置された接触凸部２４が鼻に接触した状態を示し、二つの接触凸部２４の先端２６が鼻の皮膚Ｓに接触し、二つの先端２６の中間位置の皮膚Ｓの表面が最も基準面２２に近接している。ここで、先端２６間において、先端２６間方向に伸びている皮膚の長さをＬ［ｍｍ］、先端２６間の先端部間距離をＤ［ｍｍ］、皮膚Ｓの単位長さ当たりの伸び率ε（０＜ε）としたとき、先端部２６間において伸びた皮膚の長さＬは、
【数２】
2019101331.tif 000004
によって表される。
【００４８】
また先端部２６間において伸び、湾曲する長さＬの皮膚を長さを変えずに図１１（ｂ）に示す線形に仮定した場合、皮膚Ｓに対する接触凸部２４の沈み込み深さｈ［ｍｍ］の最大近似値ｈ´［ｍｍ］（図１１（ｂ）参照）は、接触凸部２４の基端から先端までの長さＨ［ｍｍ］を考慮すると、
【数３】
2019101331.tif 000005
によって表される。
【００４９】
なお、長さＨとの大小関係を考慮すると、
【数４】
2019101331.tif 000006
と表されるから、数式（４）のｈをｈ´（＞ｈ）で置き換えれば、先端部距離Ｄは、
【数５】
2019101331.tif 000007
によって限定できる。
【００５０】
従って、適宜伸び率εを設定し、接触凸部２４の基端から先端までの長さＨを、沈み込み可能長さとほぼ同じ長さに設定しても、基準面２２と鼻とが接触しない先端部間距離Ｄを設定することができる。例えば、伸び率εを０．５、長さＨを１［ｍｍ］として数式（５）を用いて先端部間距離Ｄを限定すると、約１．７９ｍｍ未満にすればよいことがわかる。
【００５１】
このように先端部間距離Ｄを設定することでも鼻とパット２０とを確実に離間させることができ、鼻の化粧の剥がれを低減しつつ、剥がれた部分を目立たせないようにすることができる。
【符号の説明】
【００５２】
１…眼鏡、２…フロント部、３ａ，３ｂ…リム、４…ツル、６…連結部材、８ａ，８ｂ…ヨロイ、１２…レンズ、２０…パット、２２…基準面、２４…接触凸部、２６…先端部、３０…基部、３２…突出部。
【図１】
2019101331.tif 000008
【図２】
2019101331.tif 000009
【図３】
2019101331.tif 000010
【図４】
2019101331.tif 000011
【図５】
2019101331.tif 000012
【図６】
2019101331.tif 000013
【図７】
2019101331.tif 000014
【図８】
2019101331.tif 000015
【図９】
2019101331.tif 000016
【図１０】
2019101331.tif 000017
【図１１】
2019101331.tif 000018